(57)【要約】  区分された食品貯蔵区画（２）、及び前記区画（２）と熱的な関係にある蒸発器（３）と加熱手段（４）とを包含する冷蔵庫において、冷蔵庫が、冷却位置と解凍位置との間を区画（２）内で移動可能に配置される熱導体部材（５）と、前記位置の間で熱導体部材（５）を駆動するための作動手段と、前記位置によって加熱手段にエネルギーを供給するための制御手段とを包含し、前記冷却位置において、熱導体部材（５）が、熱導体部材（５）と蒸発器（３）との間の熱伝達を最大にするために、蒸発器（３）と接触又は隣接し、その結果、熱導体部材（５）が前記区画（２）から熱を吸収することができ、前記解凍位置において、加熱手段（４）がエネルギーを供給され、熱導体部材（５）が、蒸発器（３）から区画（２）を熱的に分離するために、蒸発器（３）から離れて間隔を空けている。
2008525748.tif 000002
【特許請求の範囲】
【請求項１】
冷蔵庫であって、区分された食品貯蔵区画（２）、及び前記区画（２）と熱的な関係にある蒸発器（３）と加熱手段（４）を具備しているものにおいて、
前記冷蔵庫が、冷却位置と解凍位置との間を前記区画（２）内で移動可能に配置される熱導体部材（５）と、前記位置によって前記加熱手段（４）にエネルギーを供給するための制御手段とを包含し、
前記冷却位置において、前記熱導体部材（５）が、前記熱導体部材（５）と前記蒸発器（３）との間の熱伝達を最大にするために、前記蒸発器（３）に接触又は隣接しており、その結果、前記熱導体部材（５）が、前記区画（２）から熱を吸収することができ、
前記解凍位置において、前記加熱手段（４）が、エネルギーを供給され、前記熱導体部材（５）が、前記蒸発器（３）から前記区画（２）を熱的に分離するために、前記蒸発器（３）から離れて間隔を空ける、
ことを特徴とする冷蔵庫。
【請求項２】
前記熱導体部材（５）が、前記区画（２）にピボット的に装着されることを特徴とする、請求項１に記載の冷蔵庫。
【請求項３】
前記熱導体部材（５）が、蝶番によって回転軸（１１）の周りにピボット運動のために支持されるプレートを包含することを特徴とする、請求項１に記載の冷蔵庫。
【請求項４】
前記熱導体部材（５）が、前記区画（２）に摺動可能に装着されることを特徴とする、請求項１に記載の冷蔵庫。
【請求項５】
ガイド手段が、前記冷却位置と前記解凍位置との間の移行過程で、前記熱導体部材（５）を前記区画（２）の内部で摺動可能とするために備えられることを特徴とする、請求項４に記載の冷蔵庫。
【請求項６】
前記解凍位置において、前記熱導体部材（５）は、区画の空気が前記蒸発器（３）の上を流れて、前記蒸発器（３）が前記区画の空気を冷却することを防止するために、前記区画（２）に備えられるバッフル（１３）と接触するようになっていることを特徴とする、請求項１から５のいずれか一項に記載の冷蔵庫。
【請求項７】
前記加熱手段（４）が、前記熱導体部材（５）に配置され又は前記熱導体部材（５）と一体化して備えられ、前記制御手段によってエネルギーを供給されるようになっている抵抗器を包含することを特徴とする、請求項１から６のいずれか一項に記載の冷蔵庫。
【請求項８】
前記熱導体部材（５）を駆動するための作動手段が備えられることを特徴とする、請求項１から７のいずれか一項に記載の冷蔵庫。
【請求項９】
前記作動手段が、前記熱導体部材（５）を手動で操作出来るようになっていることを特徴とする、請求項８に記載の冷蔵庫。
【請求項１０】
前記作動手段が、手動レバーを包含することを特徴とする、請求項９に記載の冷蔵庫。
【請求項１１】
前記作動手段が、前記バッフル（１３）に固定され、前記冷却位置と前記解凍位置との間で前記熱導体部材（５）を駆動するようになっている電磁石を包含することを特徴とする、請求項８に記載の冷蔵庫。
【請求項１２】
前記区画（２）が、前記食料品（１２）を支持し、前記区画（２）の内部に空気流路を備えるための仕切り装置（１４）を包含し、前記仕切り装置（１４）が、食料品（１２）を収納するようになっている第一領域と、前記熱導体部材（５）が、前記冷却位置と前記解凍位置との間を移動するようになっている第二領域とに、前記区画（２）を分割することを特徴とする、請求項１から１１のいずれか一項に記載の冷蔵。
【請求項１３】
前記仕切り装置（１４）が、前記区画の空気が前記熱導体部材（５）に到達し、前記熱導体部材（５）と熱交換移転の関係で流れるために通過するようになっている開口部を前記バッフル（１３）と共に、形成するようになっている第一表面（１５）を包含することと、さらに、前記熱導体部材（５）から来る前記区画の空気のために、第二表面（１６）と底部壁（７）との間に空気通路を備えるために、前記区画（２）の底部壁（７）の上方に配置される第二表面（１６）を包含することとを特徴とする、請求項１から１２のいずれか一項に記載の冷蔵庫。
【請求項１４】
前記バッフル（１３）が、前記第一表面（１５）と共に一つの部品に一体化形成されることを特徴とする、請求項１２に記載の冷蔵庫。
【請求項１５】
ブロウ手段（１７）が、前記区画の温度を均一にし、前記区画（２）内部で熱交換を増進するために、空気を強制的に循環するように備えられることを特徴とする、請求項１から１４のいずれか一項に記載の冷蔵庫。
【請求項１６】
ドレイン管が、前記区画の内部で発生する凝縮による水の排水のために備えられ、前記ドレイン管が、外部への臭気の拡散と前記ドレイン管を介しての熱損失とを防止するために、ドレイン管に残留水を備えるサイホンを包含することを特徴とする、請求項１から１５のいずれか一項に記載の冷蔵庫。
【発明の詳細な説明】
【技術分野】
【０００１】
本発明は、区画を備える家庭用の冷蔵庫に関し、その区画で冷凍食品をさらなる加工処理のために、容易に解凍することができ、冷蔵庫内に従来の方法で貯蔵する前に、その区画で温かい食品を容易に冷却することが出来る。
【背景技術】
【０００２】
特許文献１は、区画の冷却された空気ダクトの開口部と連絡する容器の空気通路にピボット的に装着される凹凸の熱エネルギー反射ダンパーの使用によって、食品を急速解凍及び急速冷凍するための食品容器を包含する冷蔵庫の食品の状態調節装置を開示する。手動制御が、ランプからダクトの反射表面を経由して冷蔵庫の冷却コイルに熱エネルギーを注ぐために、適切に機能するダンパーを用いて通路を閉鎖する第一の蒸発器の霜取り位置へダンパーを軸回転するように、高エネルギー放射ランプはダンパーのピボット軸上に配置される。第二の位置に軸回転した時に、ダンパーは通路を開き、容器内で食品を急速冷凍するために、容器を介して下部の冷凍用空気を循環するようにダクトの反射表面と協同する。第三の位置に軸回転した時に、ダンパーは通路を閉じ、容器内で食品を急速解凍するために、ランプからの熱エネルギーを容器内に反射する。
【０００３】
【特許文献１】米国特許第４００２１９９号明細書
【発明の開示】
【発明が解決しようとする課題】
【０００４】
この型式の冷蔵庫は、特に、区画と冷熱源及び温熱源との間の熱交換に関して、かなり複雑であることが知られている。
【課題を解決するための手段】
【０００５】
その結果、本発明の目的は、引用された周知技術の顕著な問題を解決することであり、従って簡潔で容易な操作性を備える冷却する及び解凍する区画を提供する。
【０００６】
本発明の別の目的は、より単純な熱交換器と、ユーザに対して操作の追加の利便性を備える制御機能とを提供することである。
【０００７】
本発明は、添付の特許請求の範囲を特に参照して、本質的に記述され規定された設計的及び構造的特性によって具体化される。
【０００８】
とにかく、本発明の特徴と利点は、添付図面を参照し限定されない例示によって、以下の記述からさらに容易に理解することができる。
【発明を実施するための最良の形態】
【０００９】
図１から３を参照して、本発明に従う冷蔵庫の実施形態は、区分された食料貯蔵区画２、区画２と熱的な関係にある蒸発器３と加熱手段４、冷却位置と解凍位置との間を区画２内で移動可能に配置される熱導体部材５、及び前記位置によって前記加熱手段４にエネルギーを供給する制御手段を包含する。
【００１０】
冷凍位置において、熱導体部材５は、その間の熱伝導を最大にするために蒸発器３と接触又は隣接しており、その結果、熱導体部材５は、前記区画２から熱を吸収することができる。
【００１１】
解凍位置において、加熱手段４はエネルギーを供給され、熱導体部材５は蒸発器３から区画２を熱的に分離するために、蒸発器３から離れて間隔が空けられる。
【００１２】
解凍に関して、本発明に従う区画を組込んだ家庭用の竪型冷凍冷蔵庫は、図１に示され、符号１によって表される。
【００１３】
冷蔵庫１は、冷蔵庫の背面壁に隣接する垂直に延在する平面に配置される凝縮器に放出ラインを介して、冷媒を加圧しそれを送達するようになっている電動圧縮機を含む既存の冷凍装置を備えている。液化冷媒は、凝縮器を離れリストリクターラインを通過して流れ、そこで冷媒の圧力が下げられ、冷蔵庫から熱を吸収するようになっている蒸発器で冷媒を蒸発させる。
【００１４】
区分された食品貯蔵区画２は、好ましくはプラスチック材料から成形された箱型の筐体を含む。筐体は、側面壁８に及び後方壁９に接続された、上部壁６と底部壁７とを包含し、後方壁７は、蒸発器３それ自体の一部分によって、又は蒸発器３と熱的に接触する線形壁によって画定される。このような後方壁９は、正面の開口部と向き合い、正面の開口部は、区画内部へのアクセスウを提供し、冷蔵庫１に連結されたアクセス扉１０によって閉じられる。
【００１５】
以降に述べられる本発明の構造的な例示において、熱導体部材５は、区画２にピボット的に装着され、後方壁９に対応して備えられた蝶番によって回転軸１１の周りにピボット運動のために支持されるプレートを含む。熱導体部材５は、後方壁９と平行で接触し直立する冷却位置と、後方壁９から、その結果蒸発器から離れて間隔が空けられ、扉１０の方向へ前方に傾いた解凍位置との間で回転するようになっている。冷却位置において、熱導体部材５は、蒸発器３と熱導体部材５との間で伝導によって熱伝達出来るように、区画２の後方壁９と接触し部分的に重なる。この位置において、熱導体部材５は、区画２に配置された温かい食料品１２を冷却するために、区画２から熱を吸収するようになっている。
【００１６】
他方、解凍位置において、熱導体部材５は、後方壁９と熱導体部材５との間の伝導による熱伝達を最小にするために、後方壁９との接触を防止される。
【００１７】
熱導体部材のプレート５は、プレートと側面壁８との間を区画の空気が通過することを防止するために、区画２の側面壁８に沿って摺動するようになっている。区画２は、上部壁６から延伸する一種の追加物を形成する方法で、後方壁９の上部に対応し平行に配置されるバッフル１３を備える。解凍位置において、熱導体部材５はその上端部で、区画の空気が蒸発器２の上を流れることを防止するために、バッフル１３と接触するようになっている。
【００１８】
結果として、バッフル１３と接触する熱導体部材５は、区画の空気が蒸発器３と熱交換移転をすることを防止し、それ故に、熱導体部材５によって、蒸発器３と区画２との間で熱的な分離が達成される。
【００１９】
加熱手段４は、熱導体部材５に配置され、又はそれと一体化して備えられ、区画内に置かれた冷凍品１２を解凍するために、区画２の温度を上昇するための制御手段によってエネルギーを供給するようになっている抵抗器を包含する。
【００２０】
明らかに、加熱手段４は、区画２の内部の異なる場所、例えば上部壁６又は底部壁７に対応する場所に備えることもまた可能である。
【００２１】
熱導体部材５を駆動するための作動手段が備えられ、作動手段は、冷蔵庫１又は区画２に配置され、バッフル１３に固定され冷却位置と解凍位置との間で熱導体部材５を動かすようになっている蝶番又は電磁石に作用するようになっている電動モータを包含する。
【００２２】
当業者に周知のその他の作動手段が、本発明で利用可能であることが認識されるだろう。詳細には、手動レバーのようなユーザによって熱導体部材５を手動で操作することが可能な作動手段。
【００２３】
好適には制御手段は、加熱手段４にエネルギーを供給する、及び作動手段を操作することによって、ユーザの要求に従う区画の異なる運転モードを選択するようになっている電子制御システムを含む。
【００２４】
選択された運転モードによって、電子制御システムが区画の温度を管理することが出来るように、温度センサが区画の内部に備えられる。
【００２５】
解凍の運転モードの場合において、制御手段は、熱導体部材５が上述の解凍位置にある時に、加熱手段４にエネルギーを供給する。この位置で実際に蒸発器３は、運転中の加熱手段４が冷凍食品を解凍するために区画の温度を上昇している間、区画の空気を冷却することを妨げられる。
【００２６】
冷却の運転モードは、熱導体部材５が、区画２から熱を吸収するための冷却位置にあることを規定し、結果として加熱手段４にエネルギーが供給されない。
【００２７】
熱導体部材５に印加された電圧の降下が、ジュール効果加熱を供給するように、熱導体部材５は導電体材料から作られることに注意すべきである。
【００２８】
本発明のさらに好適な実施形態において、熱導体部材５は区画２に摺動可能に装着される。このために、ガイド手段が、冷却位置と解凍位置との間の移行過程において、区画の内部で熱導体部材５を摺動可能とするために備えられる。
【００２９】
区画は、食料品１２を支持するための、及び区画それ自体の内部に空気流路を備えるための仕切り装置１４を含む。実際には、仕切り装置１４は、食料品１２を収納するようになっている第一領域と、熱導体部材５が軸回転又は摺動するようになっている第二領域とに区画２を分割する。
【００３０】
仕切り装置１４は、区画の空気が熱導体部材５に到達し、熱導体部材５と熱交換移転の関係で流れるために通過するようになっている開口部をバッフル１３と共に、形成するようになっている垂直な表面１５を包含し、さらに、熱導体部材５から来る区画の空気のために、水平な表面と底部壁との間に空気通路を備えるために、区画２の底部壁７の上方に配置される水平な表面１６を包含する。
【００３１】
有利には、バッフル１３は、垂直な表面１５と共に一つの部品に一体化形成することが可能であり、さらに仕切り装置１４全体を、単一部品構造にすることが可能であり、又は代わりに、水平な表面１６と垂直な表面１５を、組立てられる二つの個別の要素にすることが可能である。
【００３２】
好適な実施形態において、ブロワ手段１７が、区画の温度を均一にし、区画２内部で熱交換を増進するために、空気を強制的に循環するように区画２に備えられる。
【００３３】
有利にはドレイン管が、区画の内部で発生する凝縮による水の排水のために備えられる。ドレイン管は、外部へ臭気の拡散とドレイン管を介しての熱損失とを防止するために、ドレイン管に残留水を備えるサイホンを包含する。
【００３４】
本発明の革新的な概念から逸脱することなく、上述の区画２は、従来の冷蔵庫に収容されるようになっているモジュール式装置として組立てることが出来ることが、当業者に対して明らかになる。
【００３５】
本発明の上述の実施形態の操作は、以下に述べられるだろう。
【００３６】
温かい食品を冷却する機能が、ユーザによって、例えばアクセス扉に備えられた制御パネルから選択される時に、電子制御システムは、冷却の運転モードを選択する。結果として、作動手段は冷却位置に熱導体部材５を駆動するために操作され、加熱手段４はエネルギーを供給されず、ブロウ手段１７は運転され、電動圧縮機は冷却のピーク効率を提供するために駆動される。その結果、非常に冷却された食料品が、冷蔵庫の従来の区画に貯蔵されるようになる。所定の最終冷却温度に到達した時に、冷却の運転モードは停止される。
【００３７】
冷凍された食品を解凍する機能が、ユーザによって選択される時に、電子制御システムは、解凍の運転モードを選択する。結果として、作動手段は、解凍位置に熱導体部材５を駆動するために操作され、加熱手段４はエネルギーを供給され、ブロウ手段１７は運転され、圧縮機は、冷蔵庫の従来の区画の内部の温度が、食品の腐敗を回避するようになっている限り切離されている。所定の最終解凍温度に到達した時に、解凍の運転モードは停止される。
【００３８】
本発明に従う区画２は、0℃から8℃までの設定可能な温度で、通常の冷蔵庫の貯蔵区画としてもまた利用されるようになっている。このために、各与えられた温度に対して通常の運転モードが、ユーザの要求に従って電子制御システムにより選択される。
【００３９】
区画内部の温度を調節するために、電子制御システムは、熱導体部材を冷却位置と解凍位置との間の中間位置に駆動し、もしも必要ならば、加熱手段にエネルギーを供給する。
【００４０】
最終的に、本発明に従う冷蔵庫が、真に多面的で用途が広く、構造的に簡単で製造コストが安い装置であり、冷却する／解凍する区画は、ほんの少しの構造的な変更によって、従来の冷蔵庫に組込まれるようになっていて、そのために、先行技術の装置によってもたらされる重大な欠点を排除することが、結果として述べられている。
【図面の簡単な説明】
【００４１】
【図１】本発明に従う冷蔵庫の側断面図である。
【図２】冷却位置に熱導体部材を備える、図１に示される冷蔵庫装置の断面斜視図である。
【図３】解凍位置に熱導体部材を備える、図１に示される冷蔵庫装置の断面斜視図である。
【図１】
2008525748.tif 000003
【図２】
2008525748.tif 000004
【図３】
2008525748.tif 000005
【国際調査報告】
2008525748.tif 000006
2008525748.tif 000007